【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
遊技を行う遊技機において、
画像を表示する表示手段と、
第１状態および第２状態の各々において、結果報知演出を実行する演出手段と、を備え、
前記結果報知演出は、前記第１状態において実行される第１結果報知演出と、前記第２状態において実行される第２結果報知演出とを含み、
前記第１結果報知演出において、前記第１状態を示す表示がされ、
前記第２結果報知演出において、前記第２状態を示す表示がされ、
前記第１結果報知演出において、所定事象が発生している場合、
前記第１結果報知演出の結果として第１所定結果画像が動くように前記表示手段に表示され、
前記第１所定結果画像が表示されるまで共通所定音が出力され、当該第１所定結果画像が表示された後、当該第１所定結果画像に対応する第１所定結果音が出力され、
前記第１所定結果画像の表示および前記第１所定結果音の出力は、シーンが切り替わるまで継続され、
前記第１結果報知演出において、前記所定事象が発生していない場合、
前記第１結果報知演出の結果として前記第１状態が終了する旨を示唆する第２所定結果画像が前記表示手段に表示され、当該第２所定結果画像の前面側に暗転画像が前記表示手段に表示され、さらに当該暗転画像の前面側に遊技履歴に関する情報を報知する遊技履歴画像が前記表示手段に表示され、
前記暗転画像の明度は、徐々に低下され、
前記第２所定結果画像が表示されるまで前記共通所定音が出力され、当該第２所定結果画像が表示された後、前記暗転画像の明度の低下に合わせて第２所定結果音が出力され、
前記暗転画像の明度の低下が完了したときに無音状態になり、当該無音状態は、シーンが切り替わるまで継続され、
前記暗転画像の表示は、明度の低下が完了した状態でシーンが切り替わるまで継続され、
前記第２結果報知演出において、特定事象が発生している場合、
前記第２結果報知演出の結果として第１特定結果画像が動くように前記表示手段に表示され、
前記第１特定結果画像が表示されるまで共通特定音が出力され、当該第１特定結果画像が表示された後、当該第１特定結果画像に対応する第１特定結果音が出力され、
前記第１特定結果画像の表示および前記第１特定結果音の出力は、シーンが切り替わるまで継続され、
前記第２結果報知演出において、前記特定事象が発生していない場合、
前記第２結果報知演出の結果として前記第２状態が終了する旨を示唆する第２特定結果画像が前記表示手段に表示され、当該第２特定結果画像の前面側に暗転画像が前記表示手段に表示され、さらに当該暗転画像の前面側に遊技履歴に関する情報を報知する遊技履歴画像が前記表示手段に表示され、
前記暗転画像の明度は、徐々に低下され、
前記第２特定結果画像が表示されるまで前記共通特定音が出力され、当該第２特定結果画像が表示された後、前記暗転画像の明度の低下に合わせて第２特定結果音が出力され、
前記暗転画像の明度の低下が完了したときに無音状態になり、当該無音状態は、シーンが切り替わるまで継続され、
前記暗転画像の表示は、明度の低下が完了した状態でシーンが切り替わるまで継続される、遊技機。
【手続補正２】
【補正対象書類名】明細書
【補正対象項目名】０００７
【補正方法】変更
【補正の内容】
【０００７】
（Ａ）  遊技を行う遊技機において、
画像を表示する表示手段と、
第１状態および第２状態の各々において、結果報知演出を実行する演出手段と、を備え、
前記結果報知演出は、前記第１状態において実行される第１結果報知演出と、前記第２状態において実行される第２結果報知演出とを含み、
前記第１結果報知演出において、前記第１状態を示す表示がされ、
前記第２結果報知演出において、前記第２状態を示す表示がされ、
前記第１結果報知演出において、所定事象が発生している場合、
前記第１結果報知演出の結果として第１所定結果画像が動くように前記表示手段に表示され、
前記第１所定結果画像が表示されるまで共通所定音が出力され、当該第１所定結果画像が表示された後、当該第１所定結果画像に対応する第１所定結果音が出力され、
前記第１所定結果画像の表示および前記第１所定結果音の出力は、シーンが切り替わるまで継続され、
前記第１結果報知演出において、前記所定事象が発生していない場合、
前記第１結果報知演出の結果として前記第１状態が終了する旨を示唆する第２所定結果画像が前記表示手段に表示され、当該第２所定結果画像の前面側に暗転画像が前記表示手段に表示され、さらに当該暗転画像の前面側に遊技履歴に関する情報を報知する遊技履歴画像が前記表示手段に表示され、
前記暗転画像の明度は、徐々に低下され、
前記第２所定結果画像が表示されるまで前記共通所定音が出力され、当該第２所定結果画像が表示された後、前記暗転画像の明度の低下に合わせて第２所定結果音が出力され、
前記暗転画像の明度の低下が完了したときに無音状態になり、当該無音状態は、シーンが切り替わるまで継続され、
前記暗転画像の表示は、明度の低下が完了した状態でシーンが切り替わるまで継続され、
前記第２結果報知演出において、特定事象が発生している場合、
前記第２結果報知演出の結果として第１特定結果画像が動くように前記表示手段に表示され、
前記第１特定結果画像が表示されるまで共通特定音が出力され、当該第１特定結果画像が表示された後、当該第１特定結果画像に対応する第１特定結果音が出力され、
前記第１特定結果画像の表示および前記第１特定結果音の出力は、シーンが切り替わるまで継続され、
前記第２結果報知演出において、前記特定事象が発生していない場合、
前記第２結果報知演出の結果として前記第２状態が終了する旨を示唆する第２特定結果画像が前記表示手段に表示され、当該第２特定結果画像の前面側に暗転画像が前記表示手段に表示され、さらに当該暗転画像の前面側に遊技履歴に関する情報を報知する遊技履歴画像が前記表示手段に表示され、
前記暗転画像の明度は、徐々に低下され、
前記第２特定結果画像が表示されるまで前記共通特定音が出力され、当該第２特定結果画像が表示された後、前記暗転画像の明度の低下に合わせて第２特定結果音が出力され、
前記暗転画像の明度の低下が完了したときに無音状態になり、当該無音状態は、シーンが切り替わるまで継続され、
前記暗転画像の表示は、明度の低下が完了した状態でシーンが切り替わるまで継続される（図１１、図１２に示される各種演出の流れ）。
（１）  遊技を行う遊技機（たとえば、スロットマシン１，変形例のパチンコ遊技機）において、
画像を表示する表示手段（たとえば、液晶表示器５１）と、
演出の結果として第１結果（たとえば、発展演出における発展有り，ミッション演出におけるミッションクリア有り，ＡＴ継続演出におけるＡＴ継続有り，特化ゾーン継続演出における特化ゾーン継続有り）または第２結果（たとえば、発展演出における発展無し，ミッション演出におけるミッションクリア無し，ＡＴ継続演出におけるＡＴ継続無し，特化ゾーン継続演出における特化ゾーン継続無し）を報知する結果報知演出（たとえば、発展演出，ミッション演出，ＡＴ継続演出，特化ゾーン継続演出）を実行する演出手段（たとえば、サブ制御部９１）とを備え、
所定事象が発生するとき（たとえば、演出が発展するとき，ボーナス確定するとき，ＡＴが継続するとき，特化ゾーンが継続するとき）には、前記結果報知演出の結果として前記第１結果が報知されるときに第１結果画像（たとえば、図２（ｈ１１）〜（ｈ１５）の画像，図３（ａ１３）〜（ａ１７）の画像，図７（ｂ１３）〜（ｂ１７）の画像，図１１（ｃ１４）〜（ｃ１８）の画像，図１２（ｄ１３）〜（ｄ１７）の画像）が前記表示手段に表示され、
前記所定事象が発生しないとき（たとえば、演出が発展しないとき，ボーナス確定しないとき，ＡＴが継続しないとき，特化ゾーンが継続しないとき）には、前記結果報知演出の結果として前記第２結果が報知されるときに第２結果画像（たとえば、図２（ｈ５）〜（ｈ９）の画像，図３（ａ７）〜（ａ１１）の画像，図７（ｂ７）〜（ｂ１１）の画像，図１１（ｃ８）〜（ｃ１２）の画像，図１２（ｄ７）〜（ｄ１１）の画像）が前記表示手段に表示され、さらに当該第２結果画像の明度を前記第１結果画像の明度よりも低下させる暗転処理（たとえば、図２（ｈ７）〜（ｈ９）の暗転処理，図３（ａ９）〜（ａ１１）の暗転処理，図７（ｂ９）〜（ｂ１１）の暗転処理，図１１（ｃ１０）〜（ｃ１２）の暗転処理，図１２（ｄ９）〜（ｄ１１）の暗転処理）が行われ、
前記第２結果画像とともに遊技履歴に関する情報を報知する遊技履歴画像（たとえば、図１１（ｃ１２）のリザルト画像，図１２（ｄ１１）のリザルト画像）が前記表示手段に表示される。